(57)【要約】【課題】ページを開く際にしおりを落下させることなく、小さな力で素早くページを開くことができるとともに、簡易に当該しおりを所望のページに挿入することができ、また、読書や書き込み等の作業を行うときには邪魔とならない位置に配置することができるしおりを提供する。【解決手段】冊子１００に固定する固定部１５と、冊子１００のページ紙１０４の間に挿み込むしおり本体と、しおり本体と固定部１５とを接続するアーム部１４と、アーム部１４を揺動するアーム揺動部と、アーム部１４としおり本体との間に配置し、しおり本体を揺動させる本体ヒンジ部１２とを備え、しおり本体は、ページ紙１０４の小口から突出するタグ部１１を有し、ページを開こうとした時、ページ紙１０４との間に適度な摩擦が生じ、不意にずれることを防ぐ複数の溝部または凹凸部を両面または片面に設けたことを特徴とする。【選択図】図１
2020090025.tif 000002
【特許請求の範囲】
【請求項１】
冊子の表紙または背中に固定する固定部と、
薄板あるいはシートを用いて形成され、前記冊子のページ紙間に挿み込むしおり本体と、
前記しおり本体と前記固定部とを接続するアーム部と、
前記アーム部を前記冊子の上辺に対して平行な状態で揺動するように支持し、前記固定部によって前記冊子に固定されるアーム揺動部と、
前記アーム部と前記しおり本体との間に配置し、前記冊子のページ紙の紙面上から該冊子の外側の位置までの範囲で前記しおり本体を揺動させる本体ヒンジ部と、
を備え、
前記しおり本体は、
前記ページ紙間に挿んだ場合に該ページ紙の小口から突出するタグ部を有し、
該しおり本体または前記タグ部に、手または指を沿えてページを開こうとした時、前記ページ紙との間に適度な摩擦が生じ、不意にずれることを防ぐ複数の溝部または凹凸部を両面または片面に設けた、
ことを特徴とするしおり。
【請求項２】
前記アーム部は、
前記しおり本体を前記ページ紙間に挿んだときに生じる、前記しおり本体をねじる応力を解消するねじれ解消部を備えた、
ことを特徴とする請求項１に記載のしおり。
【請求項３】
前記しおり本体を揺動するように支持し、前記本体ヒンジ部によって前記しおり本体とともに揺動するように前記本体ヒンジ部に接続された本体揺動支持部を備え、
前記しおり本体は、
前記本体揺動支持部の揺動軸方向と直交する方向の片端部または両端部に前記タグ部を備え、
前記本体揺動支持部は、
該本体揺動支持部の揺動軸が、前記本体ヒンジ部の揺動軸に対して直交するように配置され、前記しおり本体を前記ページ紙間に挿んだときに生じる、前記しおり本体をねじる応力を解消するように揺動する、
ことを特徴とする請求項１に記載のしおり。
【請求項４】
前記アーム部は、
前記固定部と前記しおり本体との間の距離を調整するアーム長さ調整部を備えた、
ことを特徴とする請求項１から３のいずれか１項に記載のしおり。
【請求項５】
前記本体ヒンジ部は、
前記しおり本体の位置を保持する保持手段を備えた、
ことを特徴とする請求項１から４のいずれか１項に記載のしおり。
【発明の詳細な説明】
【技術分野】
【０００１】
本開示は、手帳、メモ帳、ノート及び本、さらには手帳カバー等の紙面ページ間に目印として挟んでおくためのしおりに関する。
【背景技術】
【０００２】
一般的な手帳や書籍などには、ページ紙面を綴じている上側部分に１本あるいは複数本の細いしおり紐が取付け固定されている。このしおり紐は、一端が上記の綴込み部に固定されており、自由端を手で操作して、例えば、手帳であれば、記入を終えたページに挿み込み、本であれば、読み終えたページに挿み込むように用いられている。このしおり紐は、柔軟性を有する素材を用いて比較的細く形成されているため、これを使用者が指で掴んで扱うとき紙の間に挟むことが難しい場合がある。
【０００３】
上記のしおり紐に比べて使い勝手の良いものとして、適度な厚さの厚紙を短冊状に形成し、その上部に飾り紐等を結び付けたしおりを用いることが多い。このようなリーフ状のしおりは、紙面の間に挿みこむだけなので、例えば、ページ送りのように冊子状の紙面を送り動かすと、挿み込んだ部分から簡単に落下してしまうことがある。
上記のしおり紐をページ間から外す操作や、ページ間に深く挿まったしおりを外して適度な位置に挿みなおす煩わしさをなくし、また、しおりを挿んだページの開き難さを抑えるため、次のように構成されたしおりがある。
このしおりは、例えば、適度な弾性を有する樹脂シート等を用いて短冊状のしおり本体を形成し、当該短冊状の長手方向の一端に糊部を設け、この糊部を本の適当な位置に貼り付け、しおり本体に設けられた折目を折ることによって長手方向の他端を所望のページ間に挿むように構成されている（例えば、特許文献１参照）。
【０００４】
また、プラスチックシートを抜き打ちカットすることにより、用紙差し替え式ノートに装着できるように形成し、棒状の目印部を備えたしおりがある（例えば、特許文献２参照）。
このしおりは、上記の用紙差し替え式ノートに備えられている用紙綴じ具に綴じ込むことができる係止部を備えており、この係止部を用紙綴じ具に綴じ込んだとき、ノート用紙の縁端から当該ノート外側へ突出するように目印部を備えている。このしおりを使用するときには、複数枚の用紙とともに用紙差し替え式ノートに綴じ込み、棒状の目印部を、例えば用紙の縁端と重なる位置で折り曲げて所望の用紙間に挿み込む。このように用紙間に挿み込んだとき、棒状の目印部の先端は、当該目印部の基端側となる用紙の一の縁辺に対向配置された他の縁辺から突出する。この突出した部位を手で操作することにより、所望の（目印部を挿み込んだ）ページを開くことができる。
【先行技術文献】
【特許文献】
【０００５】
【特許文献１】実開平７−７５７号公報
【特許文献２】特開２００８−２９０２５１号公報
【発明の概要】
【発明が解決しようとする課題】
【０００６】
上記の従来のしおりのように樹脂シート等を用いて、例えばポリプロピレン（ＰＰ）を用いてしおりを形成した場合、この素材が有する弾性によって、しおりを挿んだ手帳や本などのページ間が開いた状態になって綴込み部分やページ縁端などを傷めることがある。
また、上記のような樹脂製のしおりは、数十分程度、本などに挿んだ状態を保持すると、前述の折目などの可撓部分に癖がつき、元来の形状へ戻らなくなり、挿み込んだページの紙面から離れ難くなるという問題点があった。
【０００７】
また、前述の用紙差し替え式ノートに綴じ込むしおりは、用紙の縁端から突出している目印部の先端を掴んで所望の用紙間（ページ）を開くとき、比較的大きな力と「こつ」が必要になる。
具体的には、所望のページ間に挿み込まれた棒状の目印部は、例えば、用紙差し替え式ノートを水平状態としてページ見開き状態にすると、目印部の折り返し部分と先端との間に複数ページの用紙が積み上げられた状態となる。即ち、折り返し部分と先端との間には複数ページの用紙の荷重が加えられている。
【０００８】
この荷重を持ち上げる（見開く）ための力をＦとする。また、力Ｆが加えられる位置から用紙綴込み部分までの距離をＬ１、目印部に積層されている用紙の重量をＷ、重量Ｗの用紙の重心と用紙綴込み部分までの距離をＬ０としたとき、用紙見開きに要する力Ｆは、Ｆ＝Ｗ×Ｌ０／Ｌ１となる。
ここで、距離Ｌ１は、距離Ｌ０に比べて十分小さいことから、目印部に積層されている用紙の重量Ｗよりも相当に大きな力Ｆが用紙見開きに必要になり、操作感が重くなってしまう。このように用紙重量Ｗよりも大きな力Ｆが必要になることから、実際に用紙を見開き状態にする場合には、前述の用紙の他の縁端から突出している目印部の先端を、用紙綴込み部分から引き離すように移動させ、当該目印部をひねるように力を加えながら、見開き状態となるように持ち上げる「こつ」が必要になり、素早く所望のページを開くことが難しいという問題点があった。
【０００９】
本開示は上記の問題点に鑑みなされたもので、ページを開く際にしおりを落下させることなく、小さな力で素早くページを開くことができるとともに、簡易に当該しおりを所望のページに挿入することができ、また、読書や書き込み等の作業を行うときには邪魔とならない位置に配置することができるしおりを提供することを目的とする。
【課題を解決するための手段】
【００１０】
本開示に係るしおりは、冊子の表紙または背中に固定する固定部と、薄板あるいはシートを用いて形成され、前記冊子のページ紙間に挿み込むしおり本体と、前記しおり本体と前記固定部とを接続するアーム部と、前記アーム部を前記冊子の上辺に対して平行な状態で揺動するように支持し、前記固定部によって前記冊子に固定されるアーム揺動部と、前記アーム部と前記しおり本体との間に配置し、前記冊子のページ紙の紙面上から該冊子の外側の位置までの範囲で前記しおり本体を揺動させる本体ヒンジ部と、を備え、前記しおり本体は、前記ページ紙間に挿んだ場合に該ページ紙の小口から突出するタグ部を有し、該しおり本体または前記タグ部に、手または指を沿えてページを開こうとした時、前記ページ紙との間に適度な摩擦が生じ、不意にずれることを防ぐ複数の溝部または凹凸部を両面または片面に設けた、ことを特徴とする。
【００１１】
また、前記アーム部は、前記しおり本体を前記ページ紙間に挿んだときに生じる、前記しおり本体をねじる応力を解消するねじれ解消部を備えた、ことを特徴とする。
【００１２】
また、前記しおり本体を揺動するように支持し、前記本体ヒンジ部によって前記しおり本体とともに揺動するように前記本体ヒンジ部に接続された本体揺動支持部を備え、前記しおり本体は、前記本体揺動支持部の揺動軸方向と直交する方向の片端部または両端部に前記タグ部を備え、前記本体揺動支持部は、該本体揺動支持部の揺動軸が、前記本体ヒンジ部の揺動軸に対して直交するように配置され、前記しおり本体を前記ページ紙間に挿んだときに生じる、前記しおり本体をねじる応力を解消するように揺動する、ことを特徴とする。
【００１３】
また、前記アーム部は、前記固定部と前記しおり本体との間の距離を調整するアーム長さ調整部を備えた、ことを特徴とする。
【００１４】
また、前記本体ヒンジ部は、前記しおり本体の位置を保持する保持手段を備えた、ことを特徴とする。
【発明の効果】
【００１５】
本開示によれば、冊子である手帳や本などの所望のページ間に挿めたとき、小さな力で素早くページを開くことができ、また、読書や書き込み等を行う際には、邪魔とならない位置に配置することができる。
【図面の簡単な説明】
【００１６】
【図１】本開示の実施例１によるしおりを冊子に装着した状態を示す説明図である。
【図２】実施例１によるしおりの構成を示す説明図である。
【図３】実施例１のしおりを冊子の背中に装着した一例を示す説明図である。
【図４】実施例１のしおりのアーム部の一例を示す説明図である。
【図５】本開示の実施例２によるしおりの構成を示す説明図である。
【図６】実施例２のしおりを冊子に装着した一例を示す説明図である。
【発明を実施するための形態】
【００１７】
以下、この開示の実施の一形態を説明する。
（実施例１）
図１は、本開示の実施例１によるしおり１を冊子１００に装着した状態を示す説明図である。また、図２は、実施例１によるしおり１の構成を示す説明図である。
しおり１は、薄い樹脂板または樹脂シートを用いて形成されたしおり本体１０、しおり１を冊子１００に固定する固定部１５、固定部１５としおり本体１０とを接続するアーム部１４を備えている。
【００１８】
しおり本体１０は、上記の樹脂素材と同様な特徴を備えた、金属素材、複合素材（ハイブリッド素材）等を用いて形成することも可能である。
しおり本体１０は、表面に適当なざらつきを有する樹脂製の薄板、シート等を用いて構成してもよく、さらに、表面に適当なざらつきを有する厚紙を用いて構成してもよい。
しおり本体１０は、しおり１を冊子１００に装着したとき、ページ紙１０４の小口から突出する（ページ紙１０４の紙面側方へ突出する）タグ部１１を有している。また、しおり本体１０の上側部分には、当該しおり本体１０とアーム部１４とを接続する本体ヒンジ部１２が設けられている。
【００１９】
本体ヒンジ部１２は、アーム部１４としおり本体１０の間、または、本体ヒンジ部１２はしおり本体１０に接続したアーム部１４とアーム部揺動部１６との間に配置され、例えばアーム部１４の先端部分に設置されて、アーム部１４に対してしおり本体１０が揺動するように構成されている。
本体ヒンジ部１２は、例えば、しおり本体１０の上側部分に管状の部位を設け、この管状部位の管孔にアーム部１４の先端部分を挿通して構成されている。
換言すると、本体ヒンジ部１２は、アーム部１４のアーム軸を中心に回転するように構成されている。
【００２０】
本体ヒンジ部１２によって支持されたしおり本体１０は、図２の矢印Ｂが示す方向に揺動する。
本体ヒンジ部１２は、しおり１を冊子１００に装着したとき、しおり本体１０をページ紙１０４の間に挿むことができる位置から、しおり本体１０がページ紙１０４の外縁よりも外側となる位置までの範囲で回転する。換言すると、本体ヒンジ部１２は、ページ紙１０４の紙面上から冊子１００の外側となる位置までの範囲で、しおり本体１０を揺動させることができるように構成されている。
【００２１】
本体ヒンジ部１２は、しおり本体１０とページ紙１０４との位置関係を保持する保持手段を有してもよい。例えば、保持手段として、本体ヒンジ部１２の回転軸部分に上記の位置関係を保持することができる程度の回転抵抗が生じる構成を有してもよく、簡易なラッチ機構などを有してもよい。
例えば、本体ヒンジ部１２にしおり本体１０の揺動位置を保持する保持手段を備えた場合、この保持力は使用者の指先の力で当該しおり本体１０の位置を調整することができる程度の強さである。なお、この保持力は、後述する本体ヒンジ部３２の保持手段においても同様に有している。
【００２２】
ここで、ページ紙１０４を見開くための力をＦ、この力Ｆが加えられる位置から綴込み部分までの距離をＬ１、しおり本体１０に積層されているページ紙１０４の重量をＷ、当該重量Ｗを有するページ紙１０４の重心から綴込み部分までの距離をＬ０としたとき、見開きに要する力Ｆは、Ｆ＝Ｗ×Ｌ０／Ｌ１となる。
しおり１は、しおり本体１０のタグ部１１に手を沿え、または指を掛け、押し開くように操作することで、小さな力で且つ素早くページを開くことができる。
【００２３】
本体ヒンジ部１２は、前述の保持手段を有しない構成でもよい。このように保持力を有さない本体ヒンジ部１２を用いた場合には、例えば、本体ヒンジ部１２の可動域を９０度以上とし、かつ、しおり本体１０が手前に倒れてこない角度に、突き当て等で角度位置を制限するように構成し、上記保持手段の代替え機能としてもよい。
なお、後述するしおり２においても、保持手段を有さない本体ヒンジ部を備えて構成してもよく、この場合に、上述の代替え機能を有するように構成するとよい。
上記のように本体ヒンジ部１２が回転することから、しおり本体１０を目的のページ紙面上の視界から外に出すことが可能となる。
【００２４】
しおり本体１０は、冊子１００のページ紙１０４等に当接したとき、容易に滑り移動することがないように、表面に適当な大きさの複数の凹凸部または複数の溝部を備えている。
ここで例示したしおり本体１０は、片側面または両面に複数の本体溝部１３を、アーム部１４の長手方向に対して鉛直に（ページ紙１０４の小口と平行となるように）設け、ページ紙１０４、さらにはページ紙１０４の小口との間に適度な摩擦を発生させ、しおり本体１０に手または指を沿えてページを開こうとした時、不意にずれることを防ぐように構成している。
【００２５】
例えば、冊子１００が手帳であり、この冊子１００の（ページ紙１０４の）１ページ厚さが０．１［ｍｍ］以下である場合、これに装着するしおり１（しおり本体１０）は、溝断面が半円形状であって、半径０．０５［ｍｍ］、半円深さが０．０５［ｍｍ］の本体溝部１３を備えるとよい。
固定部１５は、例えば、ばね性の材質を用いたクリップであり、図２に例示したように、下方を開口した略Ｕ字状に形成されている。
【００２６】
図３は、実施例１のしおり１を冊子１００の背中１０３に装着した一例を示す説明図である。なお、図３は背中１０３の断面を示している。
クリップ状の固定部１５は、例えば、図３に示したように、冊子１００の背中１０３等を略Ｕ字状の２つの長辺部分の間に挟み込んで、しおり１を冊子１００に固定する。固定部１５は、背中１０３以外には、表表紙１００や裏表紙１０１の、背中１０３近傍の適当な位置に固定してもよい。
なお、固定部１５は、クリップ状に構成したものに限定されず、例えば、接着剤や両面テープ（接着シート）等を、所定位置に塗布また張り付けた部材によって構成してもよく、また、後述する図５に示した固定部２５のように構成することも可能である。
【００２７】
固定部１５は、アーム部１４の基端部を支持するアーム揺動部１６を備えている。固定部１５を固定する位置は、アーム揺動部１６に支持されたアーム部１４が揺動できる位置であり、アーム部１４に支持されたしおり本体１０がページ紙１０４に挿まれた場合に、タグ部１１がページ紙１０４の小口から突出する位置である。
アーム揺動部１６は、例えば、固定部１５を冊子１００に固定したとき、背中１０３の内側となるように、固定部１５に設けられている。図２のアーム揺動部１６は、例えば、管状に形成したアーム揺動部１６の断面を示している。
アーム揺動部１６は、冊子１００に固定されたとき、アーム部１４が冊子１００の上辺（上端の縁辺）に対して概ね平行な状態で揺動する（冊子１００の概ね厚み方向に揺動する）ように設けられている。
アーム揺動部１６は、例えば、冊子１００にしおり１を固定した状態において、表表紙１０１の位置から裏表紙１０２の位置までの範囲で、アーム部１４が揺動できるように構成されている。
【００２８】
図２のアーム揺動部１６は、管形状を上下方向に延設しており、管孔にアーム部１４の基端部側を挿通させている。
なお、アーム揺動部１６についても、本体ヒンジ部１２と同様に保持手段を有し、例えば、回転軸の摩擦抵抗などによって不意に回転（揺動）しないように構成してもよい。
【００２９】
図２のアーム部１４は、アーム揺動部１６の上端部で鉛直に曲げられている。また、この曲げ位置から当該アーム部１４の先端部まで、例えば直線状に形成されている。
なお、アーム部１４の上記曲げ位置から先端部までの部分は、しおり１を冊子１００に装着した状態において、ページ紙１０４の上辺からの距離が本体ヒンジ部１２と概ね同じであればよく、上記の形状（直線状）に限定されない。
アーム部１４は、上記のようにアーム揺動部１６に支持されることにより、図２の矢印Ａが示す方向に揺動する。即ち、しおり１を、図１に示したように冊子１００に装着したとき、アーム部１４は冊子１００の上辺（天）に対して概ね平行な状態を維持して揺動する。
アーム部１４は、固定部１５を冊子１００の背中１０３、または、その近傍の表表紙１０１や裏表紙１０２に固定し、当該アーム部１４の先端側に備えたしおり本体１０を、所望のページ紙１０４の間に挿んだとき、タグ部１１がページ紙１０４の前小口から突出することができる長さを有する。
【００３０】
図４は、実施例１のしおり１のアーム部１４の一例を示す説明図である。図４のしおり１は、アーム部１４に、例えば、可撓性のスパイラルチューブを用いたねじれ解消部１７を備えている。
アーム部１４によって支持されたしおり本体１０をページ紙１０４の間に挿んだとき、しおり本体１０をねじるように作用する応力（ストレス）が生じる。そのため、この応力を解消する機構を備えることが好ましい。図４のねじれ解消部１７は、スパイラルチューブが歪む、もしくは変形することによって上記の応力を解消するようにしたものである。
【００３１】
ねじれ解消部１７を備えたアーム部１４は、アーム揺動部１６に支持された基端部、本体ヒンジ部１２を備えた先端部等に適度な剛性を備え、前述のように揺動することができるように構成されている。
なお、ねじれ解消部１７は、上記のスパイラルチューブに限定されず、しおり本体１０をねじる応力を解消するものであれば、他の構造でもよい。
また、例えば、アーム部１４が十分に長く、ページ紙１０４の間に挿んだしおり本体１０にねじれが生じない（ねじれが無視できるほど小さい）場合には、ねじれ解消部１７を備えずにアーム部１４を構成してもよい。
【００３２】
（実施例２）
図５は、本開示の実施例２によるしおり２の構成を示す説明図である。
しおり２は、薄い樹脂板または樹脂シートを用いて形成されたしおり本体２０、しおり２を例えば前述の冊子１００に固定する固定部２５、固定部２５としおり本体２０とを接続するアーム部２４を備えている。
しおり本体２０は、上記の樹脂素材と同様な特徴を備えた、金属素材、複合素材（ハイブリッド素材）等を用いて形成することも可能である。
しおり本体２０は、表面に適当なざらつきを有する樹脂製の薄板、シート等を用いて構成してもよく、さらに、表面に適当なざらつきを有する厚紙を用いて構成してもよい。
【００３３】
しおり本体２０は、しおり２を冊子１００に装着したとき、ページ紙１０４の小口から突出するタグ部２１ａならびにタグ部２１ｂを有している。
タグ部２１ａとタグ部２１ｂは、図５に例示したしおり本体２０では、長手方向の両端部に各々配置されている。
後述する本体揺動支持部３３に支持されたしおり本体２０は、本体揺動支持部３３の揺動軸に直交する方向に位置する（しおり本体２０の）両端部にタグ部２１ａとタグ部２１ｂを各々備えている。
しおり本体２０は、冊子１００のページ紙１０４等に当接したとき、容易に滑り移動することがないように、表面に適当な大きさの複数の凹凸部または複数の溝部を備えている。
図５に例示したしおり本体２０は、片側面または両面に複数の本体溝部２３を形成させ、ページ紙１０４、さらにはページ紙１０４の小口との間に適度な摩擦が生じるようにして、当該しおり本体２０に手または指を沿えてページを開こうとした時、不意にずれることを防ぐように構成している。
【００３４】
本体溝部２３は、しおり本体２０の上下方向に延びるように、即ち、アーム部２４の長手方向に対して鉛直に（ページ紙１０４の小口と平行となるように）設け、ページ紙１０４、さらにはページ紙１０４の小口との間に適度な摩擦を発生させ、しおり本体１０に手または指を沿えてページを開こうとした時、不意にずれることを防ぐように構成されている。
本体溝部２３は、例えば、前述のしおり本体１０に形成されている本体溝部１３と同様な溝断面形状で同様な大きさに形成されている。
本体溝部２３は、例えば、タグ部２１ａ，２１ｂを含めてしおり本体２０全体に形成されている。
なお、しおり本体２０のうち、タグ部２１ａ，２１ｂのみに本体溝部２３を設けた構成としてもよい。
また、本体溝部２３に替えて、前述のしおり本体１０と同様に、複数の凹凸部を備えてもよい。
【００３５】
図５に例示したしおり本体２０は、長手方向の中央部分（タグ部２１ａとタグ部２１ｂの中間位置）に本体揺動支持部３３が設けられ（接続され）、本体揺動支持部３３を介して本体ヒンジ部３２に接続されている。
本体ヒンジ部３２は、例えばアーム部２４の長手方向の先端に設置されており、アーム部２４に対してしおり本体２０が揺動するように構成されている。なお、本体ヒンジ部３２は、後述するアーム長さ調整部３０の伸縮によって、固定部２５から当該本体ヒンジ部３２までの距離を調整することができる位置であれば、アーム部２４のどこに設置してもよく、当該設置位置は上記の先端に限定されない。
即ち、本体ヒンジ部３２は、アーム部２４のアーム軸を中心に回転する（図５の矢印Ｄが示す方向に回転する）ように構成されている。上記のようにアーム部２４の先端側に設置した本体ヒンジ部３２は、しおり本体２０と共に本体揺動支持部３３を含めて揺動させる。
【００３６】
本体ヒンジ部３２は、前述の本体ヒンジ部１２と同様に、しおり本体２０の位置を保持する保持手段を有し、例えば、回転軸の摩擦抵抗などによって、しおり本体２０とページ紙１０４の位置関係を保持することができるように構成してもよい。
なお、本体ヒンジ部３２は、本体ヒンジ部１２と同様に保持手段を有しないように構成してもよく、この場合には前述の代替え手段を備えることも可能である。
【００３７】
本体揺動支持部３３は、本体ヒンジ部３２の回転軸（揺動軸）に対して直交する回転軸（揺動軸）を有し、図５の矢印Ｅが示す方向に回転するように配置されている。
本体揺動支持部３３は、自身の揺動軸が、しおり本体２０の表面と平行になるように、しおり本体２０を支持している。
しおり本体２０は、上記の揺動軸に対して直交する方向の各端部にタグ部２１ａとタグ部２１ｂを各々備えている。
【００３８】
しおり本体２０は、本体揺動支持部３３の揺動軸に対して直交する方向に該当する端部（２つの端部）にタグ部２１ａとタグ部２１ｂを備えている。
例えば、本体揺動支持部３３が、しおり本体１０のような形状（１つのタグ部を備えたもの）を支持する場合には、当該しおり本体は、本体揺動支持部３３の揺動軸に対して直交する方向の片端部にタグ部を備える。
図５の本体揺動支持部３３は、例えば、しおり本体２０の長手方向の中央部分、即ち、タグ部２１ａとタグ部２１ｂの中間点となる位置を支持している。
このように支持した場合、本体揺動支持部３３は、しおり２を冊子１００に固定した状態において、しおり本体２０を回転させてタグ部２１ａとタグ部２１ｂの位置を入れ替え、ページ紙１０４の小口から突出するタグ部を替えることも可能にする。
【００３９】
本体揺動支持部３３は、上記のように本体ヒンジ部３２に対して直交配置されている。そのため、本体ヒンジ部３２の揺動と本体揺動支持部３３の揺動により、しおり本体２０の向き（ページ紙面に対向する角度）を立体的に調節することができ、しおり本体２０の表面を、ページ紙１０４の紙面と平行にすることが可能になる。
即ち、本体揺動支持部３３は、しおり本体２０をページ紙１０４間に挿んだときに生じる、しおり本体２０をねじる応力を解消するように作用し、前述のねじれ解消部１７に相当する。
【００４０】
アーム部２４の基端部は、アーム揺動部３１によって支持されている。アーム揺動部３１は、図５の矢印Ｃが示す方向に回転するように構成されており、固定部２５とアーム部２４を接続するように備えられている。
アーム揺動部３１は、固定部２５を冊子１００に固定したとき、アーム部２４が冊子１００の上辺（上端の縁辺）に対して概ね平行な状態で揺動する（冊子１００の概ね厚み方向に揺動する）ように設けられている。
アーム揺動部３１は、例えば、冊子１００にしおり２を固定した状態において、表表紙１０１の位置から裏表紙１０２の位置までの範囲で、アーム部２４が揺動できるように構成されている。
なお、アーム揺動部３１、本体揺動支持部３３についても、本体ヒンジ部３２と同様に保持手段を有し、例えば、回転軸の摩擦抵抗などによって不意に回転（揺動）しないように構成してもよい。
【００４１】
アーム部２４は、概ね、前述のアーム部１４と同様な形状をしており、アーム揺動部３１の上端部よりも上側で鉛直に曲げられている。
アーム部２４は、この曲げ位置から本体ヒンジ部３２までの間にアーム長さ調整部３０を備えている。
アーム長さ調整部３０は、アーム部２４のアーム腕（長手部分）の長さを調整するもので、図５の矢印Ｇの方向に伸縮し、固定部２５と、しおり本体２０との間の距離を調整するように構成されている。なお、前述のアーム部１４に、アーム長さ調整部３０を備えることも可能である。
【００４２】
固定部２５は、例えば、金属製の棒材を曲げ加工してばね性を有するように形成したクリップ部分を備え、冊子１００の表表紙１０１や裏表紙１０２を挟むように構成されている。固定部２５は、冊子１００の背中１０３を挟むように構成してもよく、例えば、固定部１５のように構成してもよい。また、例えば、接着剤や両面テープ（接着シート）等を、所定位置に塗布また張り付けた部材によって構成してもよい。
固定部２５は、図５に示した構成に限定されず、上記のように、冊子１００の表表紙１０１、裏表紙１０１、背中１０３等に固定することができ、また、前述のようにアーム部２４が揺動できる位置にアーム揺動部３１を固定する構成であればよい。
【００４３】
図６は、実施例２のしおり２を冊子１００に装着した一例を示す説明図である。この図は、例えば、固定部２５を裏表紙１０２に固定し、しおり本体２０をページ紙１０４の間に挿んだ状態を示している。図６（ａ）は、冊子１００等を上方視したときの状態を示し、図６（ｂ）は冊子１００を表表紙１０１側から斜視したときの状態を示している。
図示したように、固定部２５を裏表紙１０２の小口側に固定した場合、アーム長さ調整部３０を調整し、しおり本体２０をページ紙１０４の間に挿んだ状態で、タグ部２１ａ（またはタグ部２１ｂ）がページ紙１０４から突出するように、アーム部２４のアーム腕長さを短くして使用する。
【００４４】
しおり２は、アーム揺動部３１、本体ヒンジ部３２、本体揺動支持部３３を備え、また、アーム長さ調整部３０を備えることにより、冊子１００の小口側に固定部２５を固定しても、タグ部２１ａ，２１ｂのいずれかをページ紙１０４の小口側から突出させることが可能になる。
なお、固定部２５を、冊子１００の背中１０３、表表紙１０１または裏表紙１０２の背中１０３近傍の位置に固定した場合には、しおり１のアーム部１４と同様な長さに調整し、タグ部２１ａまたはタグ部２１ｂがページ紙１０４の小口側から突出することができる状態として、しおり２を使用する。
【００４５】
以上のように本開示のしおり１，２は、しおり本体またはタグ部に手を沿え、または指を掛け、押し開くように操作することで、小さな力で且つ素早くページを開くことができる。
また、しおり１，２は、しおり本体を挿んだページ紙を見開き状態として、本体ヒンジ部を回転させることにより、しおり本体をページ紙表面から遠ざけておくことができることから、簡易な操作で所望のページを開いて読書や書き込みを始めることができる。
【００４６】
また、しおり１は、しおり本体１０にタグ部１１を備えて略Ｌ型に形成され、しおり２は、しおり本体２０にタグ部２１ａ，２１ｂを備えて略Ｔ型に形成されているが、複数のタグ部を備えるしおり本体を略十字型に形成し、これを用いて前述のような本体ヒンジ部等を備えたしおりを構成してもよい。
また、しおり２のように、アーム長さ調整部３０を備え、しおり本体２０の長手方向両端にタグ部２１ａとタグ部２１ｂを対向配置することにより、表表紙１０１または裏表紙１０２の上辺に沿って、どの位置に固定部２５を固定しても、しおり本体２０をページ紙１０４に挿めて、タグ部２１ａまたはタグ部２１ｂを突出させることも可能になり、使い勝手を向上させることができる。
【符号の説明】
【００４７】
１，２しおり
１０，２０しおり本体
１１，２１ａ，２１ｂタグ部
１２，３２本体ヒンジ部
１３，２３本体溝部
１４，２４アーム部
１５，２５固定部
１６，３１アーム揺動部
１７ねじれ解消部
３０アーム長さ調整部
３３本体揺動支持部
１００冊子
１０１表表紙
１０２裏表紙
１０３背中
１０４ページ紙
【図１】
2020090025.tif 000003
【図２】
2020090025.tif 000004
【図３】
2020090025.tif 000005
【図４】
2020090025.tif 000006
【図５】
2020090025.tif 000007
【図６】
2020090025.tif 000008